(57)【特許請求の範囲】
【請求項１】
自端末の位置情報を示す第１の位置情報を取得するＧＰＳ機能と、自端末を示す第１の固有コードと、を有する、第１の携帯通信端末と、
自端末を示す第２の固有コードを有する、第２の通信端末と、
前記第１の携帯通信端末および前記第２の通信端末と通信可能な位置情報表示制御装置と、を有する位置情報表示制御システムであって、
前記第１の携帯通信端末は、前記第２の通信端末に対する前記第１の位置情報の公開期間である公開条件を前記位置情報表示制御装置に送信した後、所定の周期で前記第１の位置情報を取得して前記位置情報表示制御装置に送信し、
前記第２の通信端末は、前記位置情報表示制御装置に対し、前記第１の位置情報の公開要求を送信し、
前記位置情報表示制御装置は、前記第１の携帯通信端末から受信した前記公開条件と、前記第１の位置情報と、を前記第１の固有コードと関連付けて、格納し、前記第２の通信端末から受信した前記公開要求に対し、前記公開条件により、前記第２の通信端末に対する前記第１の位置情報の公開を判断し、公開可能と判断できれば、前記第２の通信端末に対し、前記第１の位置情報を公開する、
ことを特徴とする位置情報表示制御システム。
【請求項２】
前記公開条件は、前記第１の固有コードと、前記第２の固有コードと、開始日時と終了日時からなる前記公開期間と、を含み、
前記公開要求は、前記第１の固有コードと、前記第２の固有コードと、を含み、
前記第１の固有コードに対する前記公開期間は、前記第２の固有コードと関連付いている
ことを特徴とする請求項１に記載の位置情報表示制御システム。
【請求項３】
前記公開条件は、前記第１の固有コードと、前記第１の固有コードにおいて一意である公開パスワードと、開始日時と終了日時からなる前記公開期間と、を含み、
前記公開要求は、前記第１の固有コードと、前記公開パスワードと、を含み、
前記第１の固有コードに対する前記公開期間は、前記公開パスワードと関連付いていることを特徴とする請求項１に記載の位置情報表示制御システム。
【請求項４】
前記公開パスワードは、前記第１の端末の利用者が設定する、
ことを特徴とする請求項３に記載の位置情報表示制御システム。
【請求項５】
前記公開パスワードは、
前記位置情報表示制御装置が、前記第１の携帯通信端末から受信した前記第１の固有コードに対する前記公開期間に対して付与する、
ことを特徴とする請求項３に記載の位置情報表示制御システム。
【請求項６】
前記公開条件は、前記第１の固有コードと、前記第２の固有コードと、前記公開パスワードと、前記公開期間と、を含み、
前記公開要求は、前記第１の固有コードと、前記第２の固有コードもしくは前記公開パスワードと、を含み、
前記第１の固有コードに対する前記公開期間は、前記第２の固有コードもしくは前記公開パスワードと関連付いている
ことを特徴とする請求項３乃至請求項５のいずれかに記載の位置情報表示制御システム。
【請求項７】
前記第１の携帯通信端末は、前記公開条件とともに、前記公開期間に対する前記第１の位置情報の保管指示と、保管指示した前記第１の位置情報に対する保管期限と、を前記位置情報表示制御装置に送信し、
前記位置情報表示制御装置は、前記第１の携帯通信端末から受信した前記公開条件と、前記保管指示と、前記保管期限と、を格納し、
格納している前記保管期限が経過すると、保管している前記第１の位置情報を破棄することを特徴とする請求項１乃至請求項６のいずれかに記載の位置情報表示制御システム。
【請求項８】
前記第１の固有コード、もしくは前記第２の固有コード、もしくはその両方が電話番号である
ことを特徴とする請求項１乃至請求項７のいずれかに記載の位置情報表示制御システム。
【請求項９】
前記第２の通信端末に対する前記第１の位置情報の公開が、
少なくとも１つの前記第１の位置情報が地図上にマッピングされた、マッピング位置情報である
ことを特徴とする請求項１乃至請求項８のいずれかに記載の位置情報表示制御システム。
【請求項１０】
前記第２の通信端末は、自端末の位置情報を示す第２の位置情報を取得するＧＰＳ機能を有し、
前記第１の位置情報の公開要求とともに、前記第２の位置情報を前記位置情報表示制御装置に送信し、
前記第２の通信端末に対する前記第１の位置情報の公開が、少なくとも１つの前記第１の位置情報と、前記第２の位置情報と、が地図上にマッピングされた、マッピング位置情報である
ことを特徴とする請求項１乃至請求項８のいずれかに記載の位置情報表示制御システム。
【発明の詳細な説明】
【技術分野】
【０００１】
本発明は、位置情報表示制御システムに関し、特にＧＰＳを利用した位置情報表示において、表示条件を制限する手段に関する。
【背景技術】
【０００２】
近年、携帯端末装置のＧＰＳ（Ｇｌｏｂａｌ  Ｐｏｓｉｔｉｏｎｉｎｇ  Ｓｙｓｔｅｍ）機能により、携帯端末装置の位置情報を検出し、検出した位置情報を利用した多様な提案がなされている。
【０００３】
携帯端末装置の位置情報表示システムとしては、下記の特許文献１、特許文献２がある。
【０００４】
特許文献１は、携帯端末装置のＧＰＳ機能やカメラ機能を利用して、グループで行動する時などにグループのメンバが所有する携帯端末装置の位置を、互いに視覚的に確認する携帯端末装置および位置情報表示システムである。
【０００５】
特許文献２は、グループ間で相手方の位置を確認可能なナビゲーションシステムにおけるグループの位置を表示させる携帯端末装置および位置情報表示システムである。
【先行技術文献】
【特許文献】
【０００６】
【特許文献１】特開平０８−００５３９４号公報
【特許文献２】特開２０００−３３１２８４号公報
【発明の概要】
【発明が解決しようとする課題】
【０００７】
しかし、これらのシステムは、ＧＰＳ機能を利用しているために、地図上で比較的詳細な位置が把握でき、ＧＰＳ機能を有効にすると、意図しないで、これらのシステムを利用したことのある他者に位置情報を知られてしまうというプライバシー上の問題があった。
【０００８】
そこで、これらを鑑み、本発明は、位置情報を提供する者が、自身の位置情報を公開する条件を自身で管理し、自身でプライバシーを配慮した位置情報を提供できる、位置情報表示制御装置および位置情報表示制御システムを提供することを目的とする。
【課題を解決するための手段】
【０００９】
本発明の位置情報表示制御装置および位置情報表示制御システムは、自端末の位置情報を示す第１の位置情報を取得するＧＰＳ機能と、自端末を示す第１の固有コードと、を有する、第１の携帯通信端末と、自端末を示す第２の固有コードを有する、第２の通信端末と、前記第１の携帯通信端末および前記第２の通信端末と通信可能な位置情報表示制御装置と、を有する位置情報表示制御システムであって、前記第１の携帯通信端末は、前記第２の通信端末に対する前記第１の位置情報の公開期間である公開条件と、前記第１の位置情報と、を前記位置情報表示制御装置に送信し、前記第２の通信端末は、前記位置情報表示制御装置に対し、前記第１の位置情報の公開要求を送信し、前記位置情報表示制御装置は、前記第１の携帯通信端末から受信した前記公開条件と、前記第１の位置情報と、を前記第１の固有コードと関連付けて、格納し、前記第２の通信端末から受信した前記公開要求に対し、前記公開条件により、前記第２の通信端末に対する前記第１の位置情報の公開を判断し、公開可能と判断できれば、前記第２の通信端末に対し、前記第１の位置情報を公開することを特徴とする。
【発明の効果】
【００１０】
本発明によれば、位置情報を提供する者が、自身の位置情報を公開する条件を自身で管理し、自身でプライバシーを配慮した位置情報を提供できる。
【図面の簡単な説明】
【００１１】
【図１】本発明の実施形態を示すシステム構成図である。
【図２】ＧＰＳ端末１０の機能構成図である。
【図３】位置情報表示制御装置１００の機能構成図である。
【図４】公開条件および送信間隔の設定に関するフロー図である。
【図５】ＧＰＳ端末１０の設定画面の一例である。
【図６】公開情報ＤＢ１１１に格納されている公開条件の一例である。
【図７】公開情報ＤＢ１１１に格納されている公開条件の一例である。
【図８】位置情報の授受に関するフロー図である。
【図９】位置情報ＤＢ１１２に格納している位置情報の一例である。
【図１０】位置情報の表示に関するフロー図である。
【図１１】利用端末５０の入力画面の一例である。
【図１２】位置情報の破棄処理に関するフロー図である。
【発明を実施するための形態】
【００１２】
本発明の第１の実施形態について、図を参照して説明する。
【００１３】
図１は本発明の実施形態である位置情報表示制御システムを示すシステム構成図である。
【００１４】
位置情報表示制御システムは、少なくとも、測位電波を発信している複数のＧＰＳ衛星２０と、複数のＧＰＳ衛星２０からの測位電波を受信し、端末の位置情報を算出するＧＰＳ機能を有する、複数の携帯通信端末（以下、ＧＰＳ端末と記述）１０と、ＧＰＳ端末１０の位置情報（以下、提供者位置情報と記述）を利用する利用端末５０と、複数の提供者位置情報を格納し、後述する公開条件により、当該の提供者位置情報の公開範囲を制御する位置情報表示制御装置（以下、表示制御装置と記述）１００と、これらを結ぶ公衆回線網３０と、で構成されている。
【００１５】
公開条件は、少なくとも、位置情報を公開する対象を制限する公開対象制限と、位置情報を公開する公開期間と、公開期間における位置情報の保管の有無と、保管する場合の位置情報の保管期限と、で構成される。
【００１６】
図２はＧＰＳ端末１０の機能構成図である。
【００１７】
ＧＰＳ端末１０は、少なくとも、複数のＧＰＳ衛星からの測位電波を受信して端末の位置を算出する位置算出部１と、データなどを送受信する送受信部２と、ソフトウエアおよび設定条件などを格納する記憶部３と、文字や画像などを表示する表示部４と、テンキーや実行ボタン、タッチパネルなど、で構成される入力部５と、時刻管理を行う時計６と、で構成される。なお、記憶部３には、少なくとも、電子メールと、本システムと、のソフトウエアが格納されている。
【００１８】
利用端末５０は、表示制御装置１００とデータの送受信が行える機能を有する、携帯電話、ＰＤＡ（Ｐｅｒｓｏｎａｌ  Ｄｉｇｉｔａｌ  Ａｓｓｉｓｔａｎｔｓ）、パソコンなどである。
【００１９】
図３は表示制御装置１００の機能構成図である。
【００２０】
表示制御装置１００は、少なくとも、データの送受信を行う送受信部１０１と、受信したデータと、各ＤＢ（データベース）内に格納してあるデータと、の照合などを行う照合部１０２と、ＧＰＳ端末１０の公開条件などを格納する公開情報ＤＢ１１１と、ＧＰＳ端末１０から受信した提供者位置情報などを格納する位置情報ＤＢ１１２と、緯度、経度などの位置情報を有する地図情報を格納している地図情報ＤＢ１１３と、位置情報ＤＢ１１２の位置情報を、地図情報ＤＢ１１３の地図上に位置決めするマッピング部１０３と、で構成される。
【００２１】
本発明の実施形態である位置情報表示システムの動作を説明する。
【００２２】
ＧＰＳ端末１０は、入力された公開条件を、表示制御装置１００に送信するとともに、送信間隔を記憶部３に格納する。表示制御装置１００は、公開条件を受信し、受信した公開条件を公開情報ＤＢ１１１に格納する。送信間隔で設定された送信時間になると、ＧＰＳ端末１０は、ＧＰＳ端末１０の電話番号（以下、提供者電話番号と記述）とともに提供者位置情報を、表示制御装置１００に送信し、表示制御装置１００は受信した提供者電話番号と、提供者位置情報と、を位置情報ＤＢ１１２に格納する。利用端末５０は、表示項目と、表示対象と、で構成される検索対象を、表示制御装置１００に送信する。表示制御装置１００は、受信した検索対象と、公開情報ＤＢ１１１に格納している公開条件と、を確認し、確認できると、受信した検索対象と、位置情報ＤＢ１１２に格納している位置情報と、を確認し、該当する提供者位置情報を地図情報ＤＢ１１３の地図データ上にマッピングし、マッピング位置情報を生成する。表示制御装置１００はマッピング位置情報を利用端末５０に送信し、利用端末５０は受信したマッピング位置情報を画面に表示させる。そして、表示制御装置１００は、公開情報ＤＢ１１１に格納している保管期限が経過すると、位置情報ＤＢ１１２に格納している当該の提供者位置情報を破棄する。
【００２３】
公開条件および送信間隔の設定について説明する。
【００２４】
図４は、ＧＰＳ端末１０の公開条件および送信間隔の設定に関するフロー図である。
【００２５】
図５は、ＧＰＳ端末１０の設定画面の一例である。
【００２６】
ＧＰＳ端末１０は、例えば、公開条件設定ボタンを押すなどの入力部５のキー操作により、表示部４に、図５のような設定画面を表示させる（ステップＳ１０１）。
【００２７】
ＧＰＳ端末１０は、例えば、テンキー、十字キー、実行キーを押すなどの入力部５のキー操作により入力された公開条件を、送受信部２を介して表示制御装置１００に送信するとともに、ＧＰＳ端末１０は、表示制御装置１００に提供者位置情報を送信する送信間隔を記憶部３に格納させる（ステップＳ１０２）。
【００２８】
表示制御装置１００は、送受信部１０１を介して受信した公開条件を公開情報ＤＢ１１１に格納する（ステップＳ２０１）。
【００２９】
表示制御装置１００は、受信した公開条件に含まれる公開対象制限を確認する（ステップＳ２０２）。
【００３０】
利用端末５０の電話番号が選択されていれば、表示制御装置１００は、格納した公開条件を、送受信部１０１を介してＧＰＳ端末１０に送信し、ＧＰＳ端末１０は、送受信部２を介して受信した公開条件を表示部４に表示させる。（ステップＳ１０３）
公開ＰＷ（パスワード）が選択されていれば、表示制御装置１００は、格納した当該の公開条件に固有の公開ＰＷを付与し（ステップＳ２０３）、格納した公開条件を、送受信部１０１を介してＧＰＳ端末１０に送信する（ステップＳ２０４）。ここで、公開ＰＷは、ＧＰＳ端末１０を利用する者によって入力され、ＧＰＳ端末１０が表示制御装置１００に送信するとしてもよい。
【００３１】
ＧＰＳ端末１０は、送受信部２を介して受信した公開条件を、表示部４に表示させるとともに、公開ＰＷの電子メール送信の選択を表示させる（ステップＳ１０４）。
【００３２】
電子メール送信が選択されれば、ＧＰＳ端末１０は、電子メールのソフトウエアを起動させ、表示部４に電子メールの送信画面を表示させ、電子メールを送信させる（ステップＳ１０５）。
【００３３】
図６、図７は、公開情報ＤＢ１１１に格納されている公開条件の一例である。
【００３４】
図６は、公開ＰＷに対する公開条件の一例であり、公開ＰＷ毎に異なる公開条件を格納している。
【００３５】
図７は、利用端末５０の電話番号に対する公開条件の一例であり、利用端末５０の電話番号毎に異なる公開条件を格納している。
【００３６】
図６、図７のように、公開対象制限によりデータベースを分けてもよいし、１つにまとめてもよい。
【００３７】
ＧＰＳ端末１０は、例えば、終了ボタンを押すなどの入力部５のキー操作により、公開条件の表示を終了させる（ステップＳ１０６）。
【００３８】
表示制御装置１００における提供者位置情報の取得について説明する。
【００３９】
図８は、ＧＰＳ端末１０と、表示制御装置１００と、における提供者位置情報の授受に関するフロー図である。
【００４０】
ＧＰＳ端末１０は、記憶部３に格納している送信間隔を確認し（ステップＳ３０１）、送信間隔における送信日時になると、提供者電話番号とともに、位置算出部１にて取得した提供者位置情報を、送受信部２を介して、表示制御装置１００に送信する（ステップＳ３０２）。
【００４１】
表示制御装置１００は、送受信部１０１を介して受信した提供者電話番号と、提供者位置情報と、を位置情報ＤＢ１１２に格納するとともに、当該提供者位置情報に受信日時を付与する（ステップＳ４０１）。
【００４２】
表示制御装置１００は、受信した提供者電話番号および付与した受信日時と、公開情報ＤＢ１１１に格納している当該提供者電話番号の公開期間と、を確認する（ステップＳ４０２）。
【００４３】
公開期間内であれば、表示制御装置１００は、保管期限の有無を確認する（ステップＳ４０３）。
【００４４】
保管期限が格納されていれば、表示制御装置１００は、当該提供者位置情報に対し、保管対象であることを示す保管コードを付与する（ステップＳ４０４）。
【００４５】
保管対象外であれば、表示制御装置１００は、当該の提供者電話番号に対する次の提供者位置情報を格納するまで、位置情報ＤＢ１１２に一時的に格納する（ステップＳ４０５）。
【００４６】
図９は、位置情報ＤＢ１１２に格納している位置情報の一例であり、保管コードの”１”が保管対象であることを示す。
【００４７】
利用端末５０での提供者位置情報の表示について説明する。
【００４８】
図１０は、利用端末５０と、表示制御装置１００と、における提供者位置情報の表示に関するフロー図である。
【００４９】
図１１は、利用端末５０の入力画面の一例である。
【００５０】
利用端末５０は、例えば、検索対象の入力ボタンを押すなどの入力部５のキー操作により、表示部４に、図１１のような入力画面を表示させ（ステップＳ５０１）、例えば、送信ボタンを押すなどの入力部５のキー操作により、表示制御装置１００に検索対象を送信する（ステップＳ５０３）。
【００５１】
このとき、利用端末５０がＧＰＳ機能付きであれば、ＧＰＳ機能により自端末の位置情報（以下、利用者位置情報と記述）を取得し（ステップＳ５０２）、利用端末５０は、検索対象とともに、利用者位置情報を表示制御装置１００に送信する。
【００５２】
また、利用端末５０が携帯電話であれば、利用端末５０は、検索対象とともに、利用端末５０の電話番号（以下、利用者電話番号と記述）を表示制御装置１００に送信する。
【００５３】
また、利用端末５０がＧＰＳ機能付き携帯電話であれば、利用端末５０は、検索対象とともに、提供者位置情報と利用者電話番号との両方を表示制御装置１００に送信する。
【００５４】
表示制御装置１００は、送受信部１０１を介して検索対象を受信する（ステップＳ６０１）。このとき、検索対象とともに利用者位置情報を受信していれば、表示制御装置１００は、利用者位置情報をマッピング部１０４に一時的に格納する。
【００５５】
表示制御装置１００は、利用者電話番号を受信していれば、受信した提供者電話番号および利用者電話番号と、公開情報ＤＢ１１１に格納している提供者電話番号および利用者電話番号と、を照合する（ステップＳ６０２（ａ））。利用者電話番号を受信していなければ、表示制御装置１００は、受信した提供者電話番号および公開ＰＷと、公開情報ＤＢ１１１に格納している提供者電話番号および公開ＰＷと、を照合する（ステップＳ６０２（ｂ））。
【００５６】
照合できなければ、表示制御装置１００は、例えば、照合できない理由を示すエラーコードを送信する、などのエラー処理をし（ステップＥ６１）、利用端末５０にエラーを表示させる（ステップＥ５１）。
【００５７】
照合できれば、表示制御装置１００は、受信した表示項目および提供者電話番号と、位置情報ＤＢ１１２に格納している提供者位置情報と、を確認する（ステップＳ６０３）。ここで、表示項目において、最新位置が選択されていれば、表示制御装置１００は、一時的に格納している提供者位置情報を確認し、行動履歴が選択されていれば、表示制御装置１００は、保管対象として格納している提供者位置情報を確認する。
【００５８】
該当する提供者位置情報があれば、表示制御装置１００は、地図情報ＤＢ１１３に格納している地図上に前述の提供者位置情報をマッピングさせて、マッピング位置情報を生成する（ステップＳ６０４）。ここで、ステップＳ６０１において、利用者位置情報を一時的に格納していれば、表示制御装置１００は、前述の提供者位置情報とともに、利用者位置情報を地図上にマッピングさせたマッピング位置情報を生成する。
【００５９】
格納している提供者位置情報がなければ、表示制御装置１００は、例えば、提供者位置情報がないことを示すエラーコードを送信する、などのエラー処理をし（ステップＥ６１）、利用端末５０にエラーを表示させる（ステップＥ５１）。
【００６０】
マッピング位置情報の生成を完了させると、表示制御装置１００は、マッピング位置情報を、送受信部１０１を介して利用端末５０に送信する（ステップＳ６０５）。
【００６１】
表示制御装置１００は、予め、設定された送信間隔で、提供者位置情報を確認し（ステップＳ６０６）、新たな提供者位置情報を受信していれば、表示制御装置１００は、公開情報ＤＢ１１１に格納している公開期間を確認する(ステップＳ６０７）。
公開期間内であれば、ステップＳ６０４に戻り、新たな提供者位置情報をマッピングさせた新マッピング位置情報を生成し、送受信部１０１を介して利用端末５０に送信する。
【００６２】
利用端末５０は、マッピング位置情報を受信し、受信したマッピング位置情報を表示部４に表示させる（ステップＳ５０４）。
【００６３】
利用端末５０は、例えば、終了ボタンを押すなどの入力部５のキー操作により、マッピング位置情報の表示を終了させる（ステップＳ５０５）。
【００６４】
保管データの破棄について説明する。
【００６５】
図１２は、格納している提供者位置情報の破棄に関するフロー図である。
【００６６】
表示制御装置１００は、予め設定された確認間隔に従い、公開情報ＤＢ１１１に格納している保管期限を確認し（ステップＳ７０１）、保管期限が経過していれば、表示制御装置１００は、公開情報ＤＢ１１１に格納している提供者電話番号毎の公開条件において、重複している公開期間を確認する（Ｓ７０２）。重複していれば、表示制御装置１００は、重複しない公開期間を算出し（ステップＳ７０３）、位置情報ＤＢ１１２に格納している該当の提供者位置情報を破棄する（ステップＳ７０４）。重複していなければ、表示制御装置１００は、位置情報ＤＢ１１２に格納している該当の提供者位置情報を破棄する。
【００６７】
以上のように、位置情報を提供する者が、自身の位置情報に関する、公開対象制限と、公開期間と、保管期限と、を自身で設定することができ、位置情報を提供する者が、自身の位置情報を公開する条件を、自身で管理することができる。
【００６８】
したがって、位置情報を提供する者が、自身の位置情報を公開する条件を自身で管理し、自身でプライバシーに配慮した位置情報を提供することができる。
【００６９】
これまで、ＧＰＳ端末１０と、利用端末５０と、を電話番号を利用して特定したが、ＧＰＳ端末１０と、利用端末５０と、が一意に特定できればよいので、電話番号の代わりに、例えば、ユーザコードなどの、固有のコードを、各々の端末に格納して、本システムを構成してもよい。
【００７０】
本システムは、位置情報を利用した多様なシステムに利用が可能で、容易にプライバシーに配慮したシステムとすることができる。例えば、ステップＳ６０４に、ナビゲーションシステムのフローを組み込めば、プライバシーを配慮したナビゲーションシステムとすることができる。
【符号の説明】
【００７１】
１    位置算出部
２、１０１    送受信部
３    記憶部
４    表示部
５    入力部
６    時計
１０、１０’    ＧＰＳ端末
２０、２０’    ＧＰＳ衛星
３０    公衆回線網
５０    利用端末
１００    位置情報表示制御装置
１０２    照合部
１０３    マッピング部
１１１    公開情報ＤＢ
１１２    位置情報ＤＢ
１１３    地図情報ＤＢ
【図１】
0005953863.tif 000002
【図２】
0005953863.tif 000003
【図３】
0005953863.tif 000004
【図４】
0005953863.tif 000005
【図５】
0005953863.tif 000006
【図６】
0005953863.tif 000007
【図７】
0005953863.tif 000008
【図８】
0005953863.tif 000009
【図９】
0005953863.tif 000010
【図１０】
0005953863.tif 000011
【図１１】
0005953863.tif 000012
【図１２】
0005953863.tif 000013